(57)【要約】      （修正有）【課題】単一の駆動モーターにより複数の伝動装置を同時駆動するオートドキュメントフィーダーの伝動装置を提供する。【解決手段】第一ギアセット７０はピックアップローラーセット１０を駆動する。第二ギアセット６０は送り出しローラー軸３２或いはドキュメント送りローラー軸２２に嵌めて設置し、回転方向が反対の一方通行伝動ギア６１と６４を有し、一方通行伝動ギア６１と６４は共に同一方向へと送り出しローラー軸３２或いはドキュメント送りローラー軸２２を駆動する。第三ギアセット８０は送り出しローラー軸３２とドキュメント送りローラー軸２２に連接され、伝動力を伝える。駆動モーター９０は駆動ギアセット５０を双方向に連動し、駆動ギアセットの回転方向が異なる時には、第一ギアセット７０はピックアップローラーセット１０を異なる方向に回転させる。【選択図】図４
0003205309.tif 000002
【実用新案登録請求の範囲】
【請求項１】
オートドキュメントフィーダーの伝動装置であって、前記伝動装置は、順番に設置するピックアップローラーセット、ドキュメント送りローラーセット、送り出しローラーセット、及び前記各装置の駆動に用いる駆動モーターを有し、
前記ドキュメント送りローラーセットは、ドキュメント送りローラー及びドキュメント送りローラー軸を有し、
前記送り出しローラーセットは、送り出しローラー及び送り出しローラー軸を有し、
第一ギアセットは、前記ピックアップローラーセットを駆動し、
第二ギアセットは、前記送り出しローラー軸或いは前記ドキュメント送りローラー軸に嵌めて設置し、しかも回転方向が反対の第一一方通行伝動ギア及び第二一方通行伝動ギアを有し、前記第一一方通行伝動ギア及び前記第二一方通行伝動ギアは共に、同一方向へと一方通行に、前記送り出しローラー軸或いは前記ドキュメント送りローラー軸を駆動し、
第三ギアセットは、前記送り出しローラー軸と前記ドキュメント送りローラー軸に連接され、伝動力を伝え、
駆動ギアセットは、前記第一ギアセット、前記第二ギアセット、及び前記第三ギアセットを駆動し、
前記駆動モーターは、前記駆動ギアセットを双方向に連動することができ、前記駆動ギアセットの回転方向が異なる時には、前記第一ギアセットは、前記ピックアップローラーセットを駆動し異なる方向に回転させ、前記第一一方通行伝動ギア、前記第二一方通行伝動ギアは、前記送り出しローラー軸或いは前記ドキュメント送りローラー軸をそれぞれ連動し、同一方向へと回転させることを特徴とするオートドキュメントフィーダーの伝動装置。
【請求項２】
前記第二ギアセットは第一伝動ギア及び第二伝動ギアをさらに有し、
前記第一一方通行伝動ギアは、前記第一伝動ギアに噛み合い、前記第一伝動ギアは、前記第二伝動ギアに噛み合い、前記第二伝動ギアは、前記第二一方通行伝動ギアに噛み合うことを特徴とする請求項１に記載のオートドキュメントフィーダーの伝動装置。
【請求項３】
前記駆動ギアセットは、前記駆動モーターに連接される駆動ギア及び第一伝送ベルトを有し、
前記第一伝送ベルトは、前記駆動ギアと前記第一一方通行伝動ギアとの間に連接されることを特徴とする請求項２に記載のオートドキュメントフィーダーの伝動装置。
【請求項４】
前記第一ギアセットは、前記第一ピックアップ伝動ギア、前記第一ピックアップ伝動ギアと噛み合い、しかも前記ピックアップローラーセットと固定して連接される第二ピックアップ伝動ギア及び第二伝送ベルトを有し、
前記第二伝送ベルトは、前記第一ピックアップ伝動ギアと前記第一一方通行伝動ギアとの間に連接されることを特徴とする請求項３に記載のオートドキュメントフィーダーの伝動装置。
【請求項５】
前記ピックアップローラーセットは、ドキュメント送り込みローラー、ドキュメント送り込みギア、分紙ローラー、分紙ギア、分紙ローラー軸、及び前記ドキュメント送り込みギアと前記分紙ギアとの間に設置し、前記ドキュメント送り込みギア及び前記分紙ギアと噛み合う連接ギアを有し、
前記第二ピックアップ伝動ギアは、前記分紙ローラー軸上に固定して連接されることを特徴とする請求項４に記載のオートドキュメントフィーダーの伝動装置。
【請求項６】
前記第三ギアセットは、前記ドキュメント送りローラー軸の反対端に固定して連接される第三伝動ギア、前記送り出しローラー軸の一端に固定して連接される第四伝動ギア、及び前記第三伝動ギアと前記第四伝動ギアとの間に連接される第三伝送ベルトを有することを特徴とする請求項２に記載のオートドキュメントフィーダーの伝動装置。
【請求項７】
前記第二ギアセットは、前記送り出しローラー軸上に連接されることを特徴とする請求項１に記載のオートドキュメントフィーダーの伝動装置。
【請求項８】
オートドキュメントフィーダーの伝動装置において、前記伝動装置は、順番に設置するピックアップローラーセット、ドキュメント送りローラーセット、送り出しローラーセット、及び前記各装置の駆動に用いる駆動モーターを有し、
前記ピックアップローラーセットは、分紙ローラー軸、ドキュメント送りローラーセット、第一ギアセット、第二ギアセット、第三ギアセット、駆動ギアセットを有し、
前記ドキュメント送りローラーセットは、ドキュメント送りローラー及びドキュメント送りローラー軸を有し、
前記送り出しローラーセットは、送り出しローラー及び送り出しローラー軸を有し、
前記第一ギアセットは、前記ピックアップローラーセットを駆動し、第一ピックアップ伝動ギア、前記第一ピックアップ伝動ギアと噛み合い、しかも前記分紙ローラー軸と固定して連接される第二ピックアップ伝動ギア、及び第二伝送ベルトを有し、
前記第二ギアセットは、前記送り出しローラー軸、或いは前記ドキュメント送りローラー軸に嵌めて設置され、しかも回転方向が反対の第一一方通行伝動ギア及び第二一方通行伝動ギア、前記第一一方通行伝動ギアに噛み合う第一伝動ギア、及び前記第一伝動ギア及び前記第二一方通行伝動ギアにそれぞれ噛み合う第二伝動ギアを有し、
前記第一一方通行伝動ギア及び前記第二一方通行伝動ギアは共に、同一方向へと一方通行に、前記送り出しローラー軸或いは前記ドキュメント送りローラー軸を駆動し、前記第二伝送ベルトは、前記第一ピックアップ伝動ギアと前記第一一方通行伝動ギアとの間に連接され、
前記第三ギアセット，は、前記ドキュメント送りローラー軸に固定して連接される第三伝動ギア、前記送り出しローラー軸に固定して連接される第四伝動ギア、及び前記第三伝動ギアと前記第四伝動ギアとの間に連接される第三伝送ベルトを有し、
前記駆動ギアセットは、駆動ギア及び第一伝送ベルトを有し、前記第一伝送ベルトは、前記駆動ギアと前記第一一方通行伝動ギアとの間に連接され、
前記駆動モーターと前記駆動ギアとは連接し、前記駆動ギアの回転方向が異なる時には、前記ピックアップローラーセットは、駆動され、異なる方向に回転し、前記第一一方通行伝動ギア、前記第二一方通行伝動ギアは、前記ドキュメント送りローラー軸をそれぞれ連動し、同一方向回転を行わせることを特徴とするオートドキュメントフィーダーの伝動装置。
【請求項９】
前記ピックアップローラーセットは、ドキュメント送り込みローラー、ドキュメント送り込みギア、分紙ローラー、分紙ギア、及び前記ドキュメント送り込みギアと前記分紙ギアとの間に設置し、前記ドキュメント送り込みギア及び前記分紙ギアと噛み合う連接ギアをさらに有することを特徴とする請求項８に記載のオートドキュメントフィーダーの伝動装置。
【考案の詳細な説明】
【技術分野】
【０００１】
本考案は動力伝動装置に関し、特にオートドキュメントフィーダーの伝動装置に関する。
【背景技術】
【０００２】
ソフト／ハードの進歩に従い、スキャナーはすでに多くのコンピューター使用者にとって基本配備の一つとなっている。
それは、文書、雑誌、書籍、図等の文字或いはイメージ材料をスキャンしコンピューターに取り込み、処理する。
文書に対してスキャンを行う時には、モーター、スキャンユニット上に設置するギアセットと伝動ベルト等の伝動機構により、スキャンユニットを連動し、水平にスキャンユニット上方にセットされる文書に対してスキャンを行う。
もう一つの方式は、スキャンユニットを固定して、伝動機構によりスキャンしようとする文書を連動し、イメージスキャンの目的を達成するものである。
後者は、スキャンの効率を高めるため、一般にオートドキュメントフィーダーを設置している。
【０００３】
図１は、従来のオートドキュメントフィーダーの模式図である。
オートドキュメントフィーダー中には、紙を送り出すための通路を有する。
通路は、上流から下流へとそれぞれドキュメント送り込みトレイ１０’、ドキュメント送り込み通路１１’、スキャン通路１２’、送り出し通路１３’、送り出しトレイ１４’を有する。
文書を送り上記の各通路を通過させるため、各通路にはそれぞれ様々な伝動装置が設置されている。
例えば、ドキュメント送り込み通路１１’入口端に設置されるピックアップ装置１５’、ドキュメント送り込み通路１１’及び送り出し通路１３’沿線上に設置される数個のドキュメント送りローラー１６’がある。
【０００４】
使用者が文書をスキャンする時には、ピックアップ装置１５’はドキュメント送り込みトレイ１０’の文書を押し、文書をドキュメント送り込み通路１１’中に送り込む。
ドキュメント送り込み通路１１’と送り出し通路１３’沿線に設置されるドキュメント送りローラー１６’は、同一方向へと固定の回転を行い、文書をスキャン通路１２’に送り込み、スキャン通路１２’下方のスキャンユニットにより、イメージを読み取り、スキャンが完了した文書を、送り出しトレイ１４’へと送る。
使用者が途中でスキャンを取り消す際には、キャンセルボタンを押し、オートドキュメントフィーダーの作動を停止すれば、使用者はスキャナー上蓋を開き、文書を取り出すことができる。
【０００５】
しかし、上記のようにして文書を取り出す時には、文書が損壊しやすい。
しかも、従来のオートドキュメントフィーダーでは、ほとんどが少なくとも２個のモーター、クラッチ、或いは電磁バルブ等装置を採用し、それぞれピックアップ装置１５’、ドキュメント送りローラー１６’を駆動する構造であるため、より多くのモーターを配置しようとすれば、製造コストが高くなり、体積の小型化も容易ではない。
【考案の概要】
【考案が解決しようとする課題】
【０００６】
本考案の目的は、単一の駆動モーターによりピックアップローラーセット、ドキュメント送りローラーセット及び送り出しローラーセットのオートドキュメントフィーダーの伝動装置を同時に駆動し、スキャン動作を取り消した時にも蓋を開けて紙を取り出す動作を不要とし、しかもコスト低下の目的をも達成できるオートドキュメントフィーダーの伝動装置を提供することにある。
【課題を解決するための手段】
【０００７】
本考案によるオートドキュメントフィーダーの伝動装置は、ピックアップローラーセット、ドキュメント送りローラーセット、送り出しローラーセット、第一ギアセット、第二ギアセット、第三ギアセット、駆動ギアセット及び駆動モーターを有する。
該ドキュメント送りローラーセットは、ドキュメント送りローラー及びドキュメント送りローラー軸を有する。
該送り出しローラーセットは、送り出しローラー及び送り出しローラー軸を有する。
該第一ギアセットは、該ピックアップローラーセットを駆動する。
該第二ギアセットは、該送り出しローラー軸或いは該ドキュメント送りローラー軸に嵌めて設置し、しかも回転方向が反対の第一一方通行伝動ギア及び第二一方通行伝動ギアを有し、第一一方通行伝動ギア及び第二一方通行伝動ギアは共に、同一方向へと一方通行に送り出しローラー軸或いはドキュメント送りローラー軸を駆動する。
該第三ギアセットは、該送り出しローラー軸と該ドキュメント送りローラー軸に連接され、伝動力を伝える。
該駆動ギアセットは、該第一ギアセット、該第二ギアセット及び該第三ギアセットを駆動する。
該駆動モーターは、該駆動ギアセットを双方向に連動することができ、該駆動ギアセットの回転方向が異なる時には、該第一ギアセットは、該ピックアップローラーセットを駆動し、異なる方向に回転させ、該第一一方通行伝動ギア、該第二一方通行伝動ギアは、該送り出しローラー軸或いは該ドキュメント送りローラー軸をそれぞれ連動し、同一方向へと回転させる。
【０００８】
本考案によるオートドキュメントフィーダーの伝動装置は、ピックアップローラーセット、ドキュメント送りローラーセット、送り出しローラーセット、第一ギアセット、第二ギアセット、第三ギアセット、駆動ギアセット及び駆動モーターを有する。
該ピックアップローラーセットは、分紙ローラー軸、ドキュメント送りローラーセット、第一ギアセット、第二ギアセット、第三ギアセット、駆動ギアセットを有する。
該ドキュメント送りローラーセットは、ドキュメント送りローラー及びドキュメント送りローラー軸を有する。
該送り出しローラーセットは、送り出しローラー及び送り出しローラー軸を有する。
該第一ギアセットは、該ピックアップローラーセットを駆動し、第一ピックアップ伝動ギア、該第一ピックアップ伝動ギアと噛み合い、しかも該分紙ローラー軸と固定して連接される第二ピックアップ伝動ギア、及び第二伝送ベルトを有する。
該第二ギアセットは、該送り出しローラー軸、或いは該ドキュメント送りローラー軸に嵌めて設置され、しかも回転方向が反対の第一一方通行伝動ギア及び第二一方通行伝動ギア、該第一一方通行伝動ギアに噛み合う第一伝動ギア、及び該第一伝動ギア及び該第二一方通行伝動ギアにそれぞれ噛み合う第二伝動ギアを有する。
該第一一方通行伝動ギア及び該第二一方通行伝動ギアは共に、同一方向へと一方通行に該送り出しローラー軸或いは該ドキュメント送りローラー軸を駆動し、該第二伝送ベルトは、該第一ピックアップ伝動ギアと該第一一方通行伝動ギアとの間に連接される。
該第三ギアセットは、該ドキュメント送りローラー軸に固定して連接される第三伝動ギア、該送り出しローラー軸に固定して連接される第四伝動ギア、及び該第三伝動ギアと該第四伝動ギアとの間に連接される第三伝送ベルトを有する。
該駆動ギアセットは、駆動ギア及び第一伝送ベルトを有し、該第一伝送ベルトは、該駆動ギアと該第一一方通行伝動ギアとの間に連接される。
該駆動モーターと該駆動ギアとは連接し、該駆動ギアの回転方向が異なる時には、該ピックアップローラーセットは、駆動され、異なる方向に回転し、該第一一方通行伝動ギア、該第二一方通行伝動ギアは、該ドキュメント送りローラー軸をそれぞれ連動し、同一方向回転を行わせる。
【考案の効果】
【０００９】
上記を総合すると、本考案によるオートドキュメントフィーダーの伝動装置は、１個の駆動モーターにより、駆動ピックアップローラーセット、ドキュメント送りローラーセット及び送り出しローラーセットを同時に駆動でき、スキャン時に駆動モーターが正回転であろうと、スキャンを取り消し、駆動モーターが反回転であろうと、駆動モーターは、ドキュメント送りローラー及び送り出しローラーを駆動して一方向へと回転させられ、すなわちドキュメントをオートドキュメントフィーダーへと送り出す方向を正回転させ、これによりスキャン動作を取り消す時に、使用者は蓋を開けて紙を取り出す動作が不要で、しかもコストを削減できる。
【図面の簡単な説明】
【００１０】
【図１】従来のオートドキュメントフィーダーの簡易模式図である。
【図２】本考案によるオートドキュメントフィーダーの立体図である。
【図３】本考案によるオートドキュメントフィーダーの簡易模式図である。
【図４】図２に示す本考案によるオートドキュメントフィーダーの伝動装置の立体図である。
【考案を実施するための形態】
【００１１】
図２及び図３に示す通り、本考案によるオートドキュメントフィーダーの伝動装置１００は、オートドキュメントフィーダー中に取り付けられる。
オートドキュメントフィーダーは、ドキュメントを送り入れる通路を有する。
通路には、上流から下流へとそれぞれ、ドキュメント送り込みトレイ４１、ドキュメント送り込み通路４２、スキャン通路４３、送り出し通路４４、送り出しトレイ４５を設置する。
オートドキュメントフィーダーの伝動装置１００は、通路に沿って設置されるピックアップローラーセット１０、ドキュメント送りローラーセット２０、送り出しローラーセット３０及び上記した各装置の駆動に用いる駆動モーター９０を有する。
本実施形態では、時計回り回転を正回転、反時計回り回転を反回転とする。
【００１２】
図３、図４に示す通り、ピックアップローラーセット１０は、通路入口位置のドキュメント送り込みトレイ４１とドキュメント送り込み通路４２との交わる位置に設置される。
ピックアップローラーセット１０は、ドキュメント送り込みローラー１１、ドキュメント送り込みギア１２、分紙ローラー１３、分紙ギア１４、分紙ローラー軸１５とドキュメント送り込みギア１２と分紙ギア１４との間に設置し、ドキュメント送り込みギア１２及び分紙ギア１４と噛み合う連接ギア１６を有する。
連接ギア１６により、ドキュメント送り込みローラー１１と分紙ローラー１３との回転方向は一致する。
分紙ローラー１３は、ドキュメント送り込みローラー１１によりドキュメント送り込み通路４２に送り込まれた文書を一枚一枚の文書に分離し、この一枚一枚の文書を継続して連動し下流へと前進させる。
【００１３】
ドキュメント送りローラーセット２０は、ドキュメント送りローラー２１及びドキュメント送りローラー軸２２を有する。
【００１４】
送り出しローラーセット３０は、通路出口位置の送り出しトレイ４５と送り出し通路４４との交わる位置に設置され、送り出しローラー３１及び送り出しローラー軸３２を有する。
【００１５】
オートドキュメントフィーダーの伝動装置１００は、駆動モーター９０により駆動される駆動ギアセット５０、駆動ギアセット５０により連動される第一ギアセット７０、第二ギアセット６０及び第三ギアセット８０をさらに有する。
【００１６】
駆動ギアセット５０は、ピックアップローラーセット１０と送り出しローラーセット３０との間に位置し、駆動モーター９０により連動される。
具体的には、駆動ギアセット５０は、駆動モーター９０に連接される駆動ギア５１及び第一伝送ベルト５２を有する。
駆動ギアセット５０は、第一ギアセット７０、第二ギアセット６０及び第三ギアセット８０を駆動する。
【００１７】
第二ギアセット６０は、送り出しローラー軸３２或いはドキュメント送りローラー軸２２に嵌めて設置され、しかも回転方向が反対の第一一方通行伝動ギア６１及び第二一方通行伝動ギア６４を有する。
第一一方通行伝動ギア６１及び第二一方通行伝動ギア６４は共に、同一方向へと一方通行に送り出しローラー軸３２或いはドキュメント送りローラー軸２２を駆動する。
具体的には、第二ギアセット６０は、第一伝動ギア６２、及び第一伝動ギア６２と噛み合う第二伝動ギア６３をさらに有する。
第一一方通行伝動ギア６１は、第一伝動ギア６２に噛み合い、第一伝動ギア６２は、第二伝動ギア６３に噛み合い、第二伝動ギア６３は、第二一方通行伝動ギア６４に噛み合う。
第一伝送ベルト５２は、駆動ギア５１と第一一方通行伝動ギア６１との間に連接される。
第二ギアセット６０は、ドキュメント送りローラー軸２２の一端に設置される。
【００１８】
第一ギアセット７０は、ピックアップローラーセット１０を駆動する。
駆動ギアセット５０の回転方向が異なる時には、第一ギアセット７０は、ピックアップローラーセット１０を駆動し、異なる方向に回転させる。
具体的には、第一ギアセット７０は、第一ピックアップ伝動ギア７１、第一ピックアップ伝動ギア７１と噛み合い、しかもピックアップローラーセット１０と固定して連接される第二ピックアップ伝動ギア７２及び第二伝送ベルト７３を有する。
第二伝送ベルト７３は、第一ピックアップ伝動ギア７１と第一一方通行伝動ギア６１との間に連接される。
第二ピックアップ伝動ギア７２は、分紙ローラー軸１５上に固定して連接される。
【００１９】
第三ギアセット８０は、送り出しローラー軸３２とドキュメント送りローラー軸２２に連接され、伝動力を伝える。
第三ギアセット８０は、ドキュメント送りローラー軸２２反対端に固定して連接される第三伝動ギア８１、送り出しローラー軸３２一端に固定して連接される第四伝動ギア８２、及び第三伝動ギア８１と第四伝動ギア８２との間に連接される第三伝送ベルト８３を有する。
【００２０】
駆動モーター９０は、駆動ギアセット５０を双方向に連動することができる。
駆動ギアセット５０の回転方向が異なる時には、第一ギアセット７０は、ピックアップローラーセット１０を駆動し異なる方向に回転させ、第一一方通行伝動ギア６１、第二一方通行伝動ギア６４は、送り出しローラー軸３２或いはドキュメント送りローラー軸２２をそれぞれ連動し、同一方向へと回転させる。
【００２１】
本考案によるオートドキュメントフィーダーの伝動装置１００及びオートドキュメントフィーダーが、片面スキャンを行う際の動作プロセスを以下に説明する。
オートドキュメントフィーダーが動作を開始すると、ドキュメントはドキュメント送り込みトレイ４１中に位置する。
駆動モーター９０は、駆動ギア５１の正回転を連動する。
駆動ギア５１は、第一伝動ベルト５２により、第一一方通行ギア６１を連動して正回転させる。
第一一方通行伝動ギア６１はさらに、第二伝送ベルト７３により第一ピックアップ伝動ギア７１を連動し正回転させる。
第一ピックアップ伝動ギア７１により、第二ピックアップ伝動ギア７２に噛み合い、第一ピックアップ伝動ギア７１は第二ピックアップ伝動ギア７２を連動し、反回転させる。
これにより、ピックアップローラーセット１０を連動し、ドキュメント送り込みトレイ４１へと押し、しかもドキュメント送り込みローラー１１及び分紙ローラー１３を連動して反回転させ、ドキュメントをドキュメント送り込み通路４２中に送り込む。
【００２２】
同時に、第一一方通行伝動ギア６１は、ドキュメント送りローラー２１を連動し正回転させる。
これにより、ドキュメントをスキャン通路４３中へと継続して送り入れ、ドキュメントに対してスキャンを行い、スキャン後のドキュメントを送り出し通路４４に送り込む。
第一伝動ギア６２により第一一方通行伝動ギア６１及び第二伝動ギア６３に噛み合い、第一一方通行伝動ギア６１は、第二伝動ギア６３を連動し正回転させ、第二一方通行伝動ギア６４の反回転を連動する。
第二一方通行伝動ギア６４は一方通行回転ギアであるため、第二一方通行伝動ギア６４はドキュメント送りローラー軸２２の回転を連動することはできない。
【００２３】
第一一方通行伝動ギア６１がドキュメント送りローラー軸２２を連動し正回転を行わせ、これにより第三伝動ギア８１の正回転を連動する。
第三伝送ベルト８３により、第三伝動ギア８１は第四伝動ギア８２の正回転を連動する。
第四伝動ギア８２は送り出しローラー軸３２を連動し、これにより送り出しローラー３１の正回転を連動する。
送り出しローラー３１は、ドキュメントを送り出し通路４４へと継続して送り込み、ドキュメントスキャンを完成させる。
【００２４】
使用者がドキュメントのスキャンを取り消したい場合には、オートドキュメントフィーダー上のキャンセルボタンを押す。
すると、駆動モーター９０は反回転し、駆動ギア５１の反回転を連動する。
駆動ギア５１は第一一方通行ギア６１の反回転を連動し、第一一方通行伝動ギア６１は第二伝送ベルト７３により第一ピックアップ伝動ギア７１の反回転を連動し、第一ピックアップ伝動ギア７１は、第二ピックアップ伝動ギア７２の正回転を連動する。
これにより、ピックアップローラーセット１０を連動し持ち上げ、ドキュメントへの押え付けを解除する。
この時、第一一方通行伝動ギア６１は一方通行回転ギアに属するため、ドキュメント送りローラー軸２２の回転を連動することができない。
第一一方通行伝動ギア６１は、第一伝動ギア６２及び第二伝動ギア６３により第二一方通行伝動ギア６４の正回転を連動する。
第二一方通行伝動ギア６４は、ドキュメント送りローラー軸２２の正回転を連動し、ドキュメント送りローラー２１は正回転する。
これにより、ドキュメントをスキャン通路４３に送り入れ、ドキュメント送りローラー軸２２は、第三伝動ギア８１の正回転を連動し、さらに第三伝送ベルト８３により第四伝動ギア８２の正回転を連動し、これによりドキュメントを送り出し通路４４へと継続して送り出す。
【００２５】
上記を総合すると、本考案によるオートドキュメントフィーダーの伝動装置１００は、１個の駆動モーター９０により、駆動ピックアップローラーセット１０、ドキュメント送りローラーセット２０及び送り出しローラーセット３０を同時に駆動でき、スキャン時に駆動モーター９０が正回転であろうと、スキャンを取り消し、駆動モーター９０が反回転であろうと、駆動モーター９０は、ドキュメント送りローラー２１及び送り出しローラー３１を駆動し、一方向へと回転させられ、すなわちドキュメントをオートドキュメントフィーダーへと送り出す方向を正回転させ、これによりスキャン動作を取り消す時に、使用者は蓋を開けて紙を取り出す動作が不要で、しかもコストを削減できる。
【００２６】
前述した本考案の実施形態は本考案を限定するものではなく、よって、本考案により保護される範囲は後述される実用新案登録請求の範囲を基準とする。
【符号の説明】
【００２７】
１００  オートドキュメントフィーダーの伝動装置
１０  ピックアップローラーセット
１１  ドキュメント送り込みローラー
１２  ドキュメント送り込みギア
１３  分紙ローラー
１４  分紙ギア
１５  分紙ローラー軸
１６  連接ギア
２０  ドキュメント送りローラーセット
２１  ドキュメント送りローラー
２２  ドキュメント送りローラー軸
３０  送り出しローラーセット
３１  送り出しローラー
３２  送り出しローラー軸
４１  ドキュメント送り込みトレイ
４２  ドキュメント送り込み通路
４３  スキャン通路
４４  送り出し通路
４５  送り出しトレイ
５０  駆動ギアセット
５１  駆動ギア
５２  第一伝送ベルト
６０  第二ギアセット
６１  第一一方通行伝動ギア
６２  第一伝動ギア
６３  第二伝動ギア
６４  第二一方通行伝動ギア
７０  第一ギアセット
７１  第一ピックアップ伝動ギア
７２  第二ピックアップ伝動ギア
７３  第二伝送ベルト
８０  第三ギアセット
８１  第三伝動ギア
８２  第四伝動ギア
８３  第三伝送ベルト
９０  駆動モーター
【図１】
0003205309.tif 000003
【図２】
0003205309.tif 000004
【図３】
0003205309.tif 000005
【図４】
0003205309.tif 000006